(57)【要約】  リズミックなサウンドを生成、演奏、評価および伴奏するための携帯用電子装置であって、処理ユニット（１、１０、２０、５０、８０）およびリモートセンサ（７、１００、１１０）から構成され、ユーザのための諸制御、諸機能およびサウンドを特徴とする装置である。処理ユニット（１、１０、２０、５０、８０）は、コンピュータ（４）、無線のイヤフォンおよびマイクロフォン（３）、有線のイヤフォンおよびマイクロフォン（６）および無線のサウンドスピーカ（２）にサウンドを送信可能とする。無線のトランシーバ（４３）は、処理ユニット（１、１０、２０、５０、８０）のサウンド出力を、アダプタ（８、２６０、２７２、２７５）またはサウンド演奏可能な互換装置へ送信可能とする。本発明の目的は、この電子装置の使用により、ユーザに、楽しさ、リラックス、および喜びを提供することである。本発明の技術分野は、「電子工学」に属する。【選択図】図１６
2008515009.tif 000002
【特許請求の範囲】
【請求項１】
調節可能な弾性のベルト（２５０）に固定される処理ユニット（１、２０、５０）およびアダプタ（８，２６０，２７２，２７５）から構成されるキットを含むことを特徴とする楽器伴奏およびサウンド評価のための携帯用電子装置。
【請求項２】
処理ユニット（１０、８０）、リモートセンサ（７、１００、１１０）およびアダプタ（８，２６０，２７２，２７５）から構成されるキットを含む携帯用電子装置であって、前記処理ユニット（１０、８０）と前記リモートセンサ（７、１００、１１０）とが、調節可能な弾性のベルト（２５０）に固定されることを特徴とする楽器伴奏およびサウンド評価のための携帯用電子装置。
【請求項３】
前記処理ユニット（１、１０、２０、５０、８０）出力は、有線のイヤフォンまたは有線のイヤフォンとマイクロフォン（６）、無線のイヤフォンまたは無線のイヤフォンとマイクロフォンとのセット（３）、および無線のサウンドスピーカ（２）を介して、直接聴取可能なサウンドをもたらすことを特徴とする請求項１または２に記載の楽器伴奏およびサウンド評価のための携帯用電子装置。
【請求項４】
前記処理ユニット（１、１０、２０、５０、８０）出力は、前記アダプタ（８，２６０，２７２，２７５）または互換性あるオーディオ／ビデオ機器に送信可能なサウンドをもたらすことを特徴とする請求項１または２に記載の楽器伴奏およびサウンド評価のための携帯用電子装置。
【請求項５】
前記処理ユニット（１、１０、２０、５０、８０）が、無線信号用トランシーバ（４３）を有することを特徴とする請求項１または２に記載の楽器伴奏およびサウンド評価のための携帯用電子装置。
【請求項６】
前記無線信号用トランシーバ（４３）は、単方向または双方向の構成で通信する携帯用電子装置であって、該通信は、無線周波、超音波、または赤外光の通信手段だけでなく、これら通信手段の複数の組み合わせでも構成可能であることを特徴とする請求項５に記載の楽器伴奏およびサウンド評価のための携帯用電子装置。
【請求項７】
前記無線信号用トランシーバ（４３）が、前記アダプタ（８．２６０，２７２、２７５）または任意の互換装置との間で、アナログまたはデジタルのサウンドを、送信及び/又は受信可能であることを特徴とする請求項５に記載の楽器伴奏およびサウンド評価のための携帯用電子装置。
【請求項８】
前記無線信号用トランシーバ（４３）が、前記アダプタ（８．２６０，２７２、２７５）または任意の互換装置との間で、デジタル化されたコマンド、データおよびイメージを、送信及び/又は受信可能であることを特徴とする請求項５に記載の楽器伴奏およびサウンド評価のための携帯用電子装置。
【請求項９】
前記処理ユニット（１、１０、２０、５０、８０）が、リモートセンサ（７、１００、１１０）との通信を構成する通信システム（３９）を有することを特徴とする請求項１または２に記載の楽器伴奏およびサウンド評価のための携帯用電子装置。
【請求項１０】
前記通信システム（３９）は、単方向または双方向の構成で通信する携帯用電子装置であって、該通信は、無線周波、超音波、または赤外光の通信手段だけでなく、これら通信手段の複数の組み合わせでも使用可能であることを特徴とする請求項９に記載の楽器伴奏およびサウンド評価のための携帯用電子装置。
【請求項１１】
前記処理ユニット（１、１０、２０、５０、８０）は、メモリカード（５）との間でデータの読出し／書込みを可能とするメモリカードインタフェース（４０）を有することを特徴とする請求項１または２に記載の楽器伴奏およびサウンド評価のための携帯用電子装置。
【請求項１２】
前記処理ユニット（１、１０、２０、５０、８０）は、コンピュータ（４）との通信を構成するコンピュータインタフェース（４２）を有することを特徴とする請求項１または２に記載の楽器伴奏およびサウンド評価のための携帯用電子装置。
【請求項１３】
前記処理ユニット（１、１０、２０、５０、８０）は、楽器のサウンドが生成可能であることを特徴とする請求項１または２に記載の楽器伴奏およびサウンド評価のための携帯用電子装置。
【請求項１４】
前記処理ユニット（１、１０、２０、５０、８０）は、演奏中の音楽に対して音響効果が生成可能であることを特徴とする請求項１または２に記載の楽器伴奏およびサウンド評価のための携帯用電子装置。
【請求項１５】
前記処理ユニット（１、１０、２０、５０、８０）は、歌の演奏パラメータを変更可能であることを特徴とする請求項１または２に記載の楽器伴奏およびサウンド評価のための携帯用電子装置。
【請求項１６】
前記処理ユニット（１、１０、２０、５０、８０）は、演奏中の歌に音響効果を追加可能であることを特徴とする請求項１または２に記載の楽器伴奏およびサウンド評価のための携帯用電子装置。
【請求項１７】
前記処理ユニット（１、１０、２０、５０、８０）は、フラッシュメモリ（３５）またはメモリカード（５）内に格納された音楽を演奏することが可能で、メモリカード（５）との間でデータを読取り/書込み可能なメモリカード・インタフェース（４０）を有することを特徴とする請求項１または２に記載の楽器伴奏およびサウンド評価のための携帯用電子装置。
【請求項１８】
前記処理ユニット（１、１０、２０、５０、８０）は、複数のサウンドが混合可能であることを特徴とする請求項１または２に記載の楽器伴奏およびサウンド評価のための携帯用電子装置。
【請求項１９】
歌のサウンドは、修正または無修正であっても、楽器のサウンド及び/又は音響効果と共に混合可能であることを特徴とする請求項１８に記載の楽器伴奏およびサウンド評価のための携帯用電子装置。
【請求項２０】
歌のサウンドは、修正または無修正であっても、ボーカルのサウンドと混合可能であることを特徴とする請求項１８に記載の楽器伴奏およびサウンド評価のための携帯用電子装置。
【請求項２１】
修正または無修正である歌のサウンド、及び/又はボーカルのサウンドは、アダプタまたは互換システムから発生するサウンドと混合可能であることを特徴とする請求項１８に記載の楽器伴奏およびサウンド評価のための携帯用電子装置。
【請求項２２】
前記処理ユニット（１、１０、２０、５０、８０）および前記リモートセンサ（７、１００、１１０）は、回転ディスクまたはジョグディスク（１２７)を有することを特徴とする請求項１または２に記載の楽器伴奏およびサウンド評価のための携帯用電子装置。
【請求項２３】
前記処理ユニット（１、１０、２０、５０、８０）および前記リモートセンサ（７、１００、１１０）は、接触感応表面またはパッド（１６９）を有することを特徴とする請求項１または２に記載の楽器伴奏およびサウンド評価のための携帯用電子装置。
【請求項２４】
前記ジョグディスク（１２７）および前記パッド（１６９）は、圧電タイプ、電界効果等から構成可能な少なくとも１つのトランスデューサ、または、少なくとも１つの圧力、力、振動、もしくは加速度用センサを有することを特徴とする請求項２２または２３記載の楽器伴奏およびサウンド評価のための携帯用電子装置。
【請求項２５】
前記ジョグディスク（１２７）および前記パッド（１６９）は、接触ポイントまたは接触領域が検出可能であることを特徴とする請求項２２または２３記載の楽器伴奏およびサウンド評価のための携帯用電子装置。
【請求項２６】
前記ジョグディスク（１２７）および前記パッド（１６９）は、これらの表面上での動き及び/又は強度が検出可能であることを特徴とする請求項２２または２３記載の楽器伴奏およびサウンド評価のための携帯用電子装置。
【請求項２７】
前記ジョグディスク（１２７）および前記パッド（１６９）は、柔軟なゴムまたはクッション材料からなる表面を有し、該表面は、光に対して半透明または透明に構成可能なことを特徴とする請求項２２または２３記載の楽器伴奏およびサウンド評価のための携帯用電子装置。
【請求項２８】
前記ジョグディスク（１２７）のピッチ及び/又は角度位置が検出されることを特徴とする請求項２２または２３記載の楽器伴奏およびサウンド評価のための携帯用電子装置。
【請求項２９】
前記処理ユニット（１、１０、２０、５０、８０）および前記リモートセンサ（７、１００、１１０）は、ユーザの身体に固定させるために、マジックテープ（登録商標）または接着部品（２５１，２５２、２５３、２５４）で、調節可能な弾性のベルト（２５０）に固定されることを特徴とする請求項１または２に記載の楽器伴奏およびサウンド評価のための携帯用電子装置。
【請求項３０】
前記処理ユニット（１、１０、２０、５０、８０）は、個人の予定表、カレンダ、ゲーム、演奏リスト用エディタ、サウンド設定、先進形態、ファイル用エディタ、住所録、アラーム/クロックを含むユーザ用のアプリケーションを備えることを特徴とする請求項１または２に記載の楽器伴奏およびサウンド評価のための携帯用電子装置。
【請求項３１】
前記処理ユニット（１、２０、５０）は、ジョグディスク（１２７)またはパッド（１６９）の下に配置されたＬＥＤ（３７、６５、９９１１９）を介して、ユーザための視覚的な援助指示を備えることを特徴とする請求項１または２に記載の楽器伴奏およびサウンド評価のための携帯用電子装置。
【請求項３２】
前記ＬＥＤ（３７、６５、９９１１９）は、複数ポイント、領域、シンボルおよび幾何学的形状を形成するように点灯することを特徴とする請求項３１に記載の楽器伴奏およびサウンド評価のための携帯用電子装置。
【請求項３３】
前記処理ユニット（１、１０、２０、５０、８０）は、楽器または音響効果による歌の伴奏において、ユーザの能力が評価可能であることを特徴とする請求項１または２に記載の楽器伴奏およびサウンド評価のための携帯用電子装置。
【請求項３４】
前記処理ユニット（１、１０、２０、５０、８０）は、音楽の演奏パラメータを変更して、ユーザの能力が評価可能であることを特徴とする請求項１または２に記載の楽器伴奏およびサウンド評価のための携帯用電子装置。
【請求項３５】
前記評価基準は、同期性、接触強度、ジョグディスク（１２７)またはパッド（１６９）の動き、楽器、楽譜、および使用する音響効果のタイプからなることを特徴とする請求項３３または３４に記載の楽器伴奏およびサウンド評価のための携帯用電子装置。
【請求項３６】
前記処理ユニット（１、１０、２０、５０、８０）は、歌または楽器の音楽でのボーカル伴奏において、ユーザの能力が評価可能であることを特徴とする請求項１または２に記載の楽器伴奏およびサウンド評価のための携帯用電子装置。
【請求項３７】
ユーザのリズム、同期性、音程、音色および声の強度を、前記評価の基準に含むことを特徴とする請求項３６に記載の楽器伴奏およびサウンド評価のための携帯用電子装置。
【請求項３８】
前記処理ユニット（１、１０、２０、５０、８０）は、コンピュータ（４）内のデータ及び/又はファイルに読出し/書込み可能であることを特徴とする請求項１または２に記載の楽器伴奏およびサウンド評価のための携帯用電子装置。
【請求項３９】
コンピュータ（４）は、前記処理ユニット（１、１０、２０、５０、８０）内のデータ及び/又はファイルを読出し/書込み可能であることを特徴とする請求項１または２に記載の楽器伴奏およびサウンド評価のための携帯用電子装置。
【請求項４０】
前記ジョグディスク（１２７）および前記パッド（１６９）は、アプリケーション、メニュー、選択および他の制御機能コマンドにより動作可能であることを特徴とする請求項２２または２３に記載の楽器伴奏およびサウンド評価のための携帯用電子装置。
【請求項４１】
前記リモートセンサ（７，１００，１１０）は、前記処理ユニット（１、１０、２０、５０、８０）の通信システム（３９）と互換性がある通信システム（１０６）を有することを特徴とする請求項２に記載の楽器伴奏およびサウンド評価のための携帯用電子装置。
【請求項４２】
前記通信システム（１０６）が、単方向または双方向の構成で通信することを特徴とする携帯用電子装置であって、該通信は、無線周波、超音波、または赤外光の通信手段だけでなく、これら通信手段の複数の組み合わせでも使用可能である請求項４１に記載の楽器伴奏およびサウンド評価のための携帯用電子装置。
【請求項４３】
前記処理ユニット（１、１０、２０、５０、８０）の出力は、コンピュータ（４）に伝送できるサウンドをもたらすことを特徴とする請求項１または２に記載の楽器伴奏およびサウンド評価のための携帯用電子装置。
【請求項４４】
コンピュータ（８，２６０，２７２，２７５）は、前記処理ユニット（１、１０、２０、５０、８０）に、サウンド、コマンド、およびデータを送信/受信可能であることを特徴とする請求項１または２に記載の楽器伴奏およびサウンド評価のための携帯用電子装置。
【請求項４５】
リモートセンサ（８，２６０，２７２，２７５）は、前記処理ユニット（１、１０、２０、５０、８０）の無線信号用トランシーバを有することを特徴とする請求項１または２に記載の楽器伴奏およびサウンド評価のための携帯用電子装置。
【請求項４６】
前記無線信号用トランシーバ（２６１）は、単方向または双方向の構成で通信することを特徴とする携帯用電子装置であって、該通信は、無線周波、超音波、または赤外光の通信手段だけでなく、これら通信手段の複数の組み合わせでも使用可能である請求項４５に記載の楽器伴奏およびサウンド評価のための携帯用電子装置。
【請求項４７】
前記アダプタ（８，２６０，２７２，２７５）が、アナログまたはデジタルのオーディオ信号を提供することを特徴とする請求項１または２に記載の楽器伴奏およびサウンド評価のための携帯用電子装置。
【請求項４８】
前記アダプタ（８，２７５）が、アナログまたはデジタルのビデオ信号を提供することを特徴とする請求項１または２に記載の楽器伴奏およびサウンド評価のための携帯用電子装置。
【請求項４９】
前記アダプタ（８，２６０，２７２，２７５）が、オーディオ装置及び/又はビデオ装置からアナログまたはデジタルのオーディオ信号を受信することを特徴とする請求項１または２に記載の楽器伴奏およびサウンド評価のための携帯用電子装置。
【請求項５０】
前記アダプタ（８，２６０，２７２，２７５）は、任意のオーディオ装置及び/又はビデオ装置と互換性のあるオーディオおよびビデオ信号の標準規格を備えることを特徴とする請求項１または２に記載の楽器伴奏およびサウンド評価のための携帯用電子装置。
【請求項５１】
前記アダプタ（８，２６０，２７２，２７５）は、車両のサウンドまたは娯楽システムと互換性のあるオーディオおよびビデオ信号を提供可能であることを特徴とする請求項１または２に記載の楽器伴奏およびサウンド評価のための携帯用電子装置。
【請求項５２】
前記アダプタ（８，２６０，２７２，２７５）は、車両のラウドスピーカを駆動するパワーで、増幅したオーディオ信号を提供可能であることを特徴とする請求項１または２に記載の楽器伴奏およびサウンド評価のための携帯用電子装置。
【請求項５３】
前記処理ユニット（１、１０、２０、５０、８０）は、楽器（打楽器、キーボード、弦楽器または吹奏楽器）のサウンド及び/又はこのユニットからのサウンド出力を、記録可能であることを特徴とする請求項１または２に記載の楽器伴奏およびサウンド評価のための携帯用電子装置。
【請求項５４】
楽器のサウンド及び/又はこのユニットからのサウンド出力は、フラッシュメモリ（３５）またはメモリカード（５）内に、データまたはファイルの形で記録されることを特徴とする請求項５３に記載の楽器伴奏およびサウンド評価のための携帯用電子装置。
【発明の詳細な説明】
【技術分野】
【０００１】
本発明は、ユーザの身体に固定または非固定で、車両内において使用する電子オーディオ装置に関するものである。本発明は、「電子工学」の分野に属する。
【０００２】
２００５年１０月１日付けのブラジル特許出願第０４０４４１９−３号（ＢＲ０４０４４１９−３）、２００５年９月２３日付けの追加証明書プロトコル番号第０１５０５００００９７５号、２００５年１１月５日付けのブラジル特許出願第０４０４８４６−６号（ＢＲ０４０４８４６−６）、および２００５年９月２３日付けの追加証明書プロトコル番号第０１５０５００００９７２号は、本出願人による同一の発明活動を取り扱っており、本特許出願に包含されると共に、これらに対する優先権を主張するものである。なお、上記追加は、技術的な改善を付与するもので、本発明の概念を変更するものではない。
【背景技術】
【０００３】
大都市における日常生活での動揺と厳しい仕事とが、増えてきた余暇時間を、多くの人々から奪うようになっている。日常の定型業務は、執務するビルディング内において多くの時間人々を孤立させ、時には、昼食時間、帰宅時または出勤時の時間も孤立にさせる。公園を散歩し、ベンチや自宅で休息するような余暇時間においても、各個人の活動は、たいてい退屈で不快なものになっている。
【０００４】
音楽は、多くの様々な環境において、人々を楽しませ、緊張をほぐし、そしてリラックスさせる適切な方法として役目を果す。人々は、毎日の生活の中で、自分自身を自由に表現することを求め、そして、個人的に音楽を介して、例えば、何かの楽器で自己表現することを求める。
【０００５】
本発明のアイデアは、平穏で、くつろげて、かつ喜べる瞬間を、電子的楽器によって、ユーザのために生成することであり、本発明の対象である電子的楽器は、オーディオおよび音楽のリソースを集結することになる。
【０００６】
今日のカラオケ装置は、音楽に合わせて唄う人の声のみを評価する。そして、この装置は、室内用の使用であり、さらにはバーまたはレストランでも使用される。本発明のカラオケ装置は、ユーザの声の評価に加えて、音楽の楽器伴奏もまた評価する。ユーザの反復動作により、伴奏として音楽に混合される楽器（打楽器、キーボード、弦楽器、または吹奏楽器）のサウンドを生成することができる。加えて、このカラオケ装置は、携帯用で、ユーザが行く場所どこにでも持参できる。
【発明の開示】
【発明が解決しようとする課題】
【０００７】
本発明の目的は、ユーザの身体に固定または状況に応じて固定しない楽器を、ユーザに提供することである。この楽器は、歌を演奏し、演奏する歌に、楽器（打楽器、キーボード、弦楽器、または吹奏楽器）による演奏を混合させ、またはユーザが制御する音響効果を鳴らすことができ、かつ、この伴奏活動における演奏の実力評価を行うことができる。従って、本発明の装置は、毎日の生活の中で特に退屈な個人的な状況において、楽しく、面白く、くつろげて、かつ喜ばしい瞬間をユーザに提供するための携帯用装置として機能する。
【課題を解決するための手段】
【０００８】
本発明における電子装置は、ユーザの身体に固定する目的で調節可能な弾性のベルトに固定される処理ユニット、リモートセンサ、およびアダプタから構成される１組のキットからなる。本発明の装置は、携帯可能で、さまざまな場所と状況とで使用できるように製作され、異なる方法によるが、同一機能を備えた２つの好適な実施例を提示する。
【０００９】
本発明の第１の好適な実施例は、アダプタおよび完全に処理ユニットから構成される機能完全な１組のキットを含む。このキットは、楽器（打楽器、キーボード、弦楽器、または吹奏楽器）による音楽サウンドを生成し、音響効果を鳴らし、歌を演奏し、演奏パラメータを変更し、サウンドを混合し、かつ、歌及び/又は楽器の伴奏におけるユーザの能力を評価することができる。また、処理ユニットは、リモートセンサの使用に対応でき、このリモートセンサは、処理ユニットに対してコマンドを送信する。受信したコマンドに基づき、処理ユニットは、サウンドを生成し、音響効果を生成し、歌のパラメータを変更する。
【００１０】
第２の好適な実施例は、処理ユニット、リモートセンサ、およびアダプタから構成される１組のキットを含み、このキットは、第１の好適な実施例と同一の機能を特徴として有する。このときの処理ユニットは、リモートセンサから受信したコマンドに基づき動作し、楽器（打楽器、キーボード、弦楽器、または吹奏楽器）による音楽サウンドを生成し、音響効果を鳴らし、歌を演奏し、演奏パラメータを変更し、サウンドを混合し、かつ、歌及び/又は楽器の伴奏におけるユーザの能力を評価することができる。
【００１１】
更なる重要な機能は、音響の専門家やＤＪと呼ばれる操作者が使用するものと同一のリソースをユーザに提供するので、本装置はＤＪ装置として使用可能である。なお、ＤＪ装置として、ジョグディスクの使用も不可欠である。
【００１２】
好適な両実施例において、この装置の主な特徴の１つは、歌への楽器及び／又はボーカルによる伴奏でのユーザ/ＤＪの活動の終了時点において、スコアまたはグレードを生成する機能である。種々の難易度レベルから選択することにより、任意の評価基準を規定することが可能である。処理ユニットのジョグディスクおよびパッド上に存在するＬＥＤおよびリモートセンサが、視覚による指示を提供すると共に、パッド等の表面に接触すべき瞬間および接触時の個別強度を、各々のポイントまたは領域の形で指示することで、演奏活動するユーザを支援する。
【００１３】
また、処理ユニットは、個人の予定表、計算機、ゲーム、時計、アラームクロック、音楽リスト用エディタ、バッテリ用メーターなどのアプリケーションを備えている。さらに、処理ユニットは、フラッシュストレージメモリまたはメモリカード内に情報を保存するので、コンピュータのデータストレージ用ユニットとしても使用可能である。
【００１４】
アダプタは、リモート装置を含み、このリモート装置は、処理ユニットで得られたサウンドの受信、及び/又は、処理ユニットにサウンドを送信することができる。このアダプタの目的は、オーディオ信号およびビデオ信号を、何れかのオーディオ装置およびビデオ装置に供給することである。
【発明を実施するための最良の形態】
【００１５】
本発明については、添付図面に示される各実装例に基づいて、以下で更に詳細に説明する。
【００１６】
本発明を、２つの好適な実施例に分割するが、これらの実施例は、方法は異なるが、同一の機能を実行する。図１に、処理ユニット１、リモートセンサ７、およびアダプタ８を表示するが、これらが、本発明の対象物となる。処理ユニット１は、コンピュータ４のような他の付属装置と交信し、メモリカード５にアクセスし、無線用サウンドスピーカ２にサウンドを送信し、「無線用フォン及び/又はマイクロフォン」３および「有線用フォン及び/又はマイクロフォン」６との間で、サウンドを送受信する。
【００１７】
本発明の目的である装置の第２の好適な実施例を、図２のブロック図に示す。処理ユニット１０、リモートセンサ７、およびアダプタ８からなるキットが、本発明の対象となる装置を構成する。処理ユニット１０は、コンピュータ４、メモリカード５、無線用サウンドスピーカ２、「無線用フォン及び/又はマイクロフォン」３、「有線用フォン及び/又はマイクロフォン」６、および携帯用プレーヤ１７のような他の付属装置との間で、相互交信する。
【００１８】
第１の好適な実施例は、処理ユニット１、２０、５０が、リモートセンサ７、１００、１１０に独立して動作することが特徴であり、すなわち、無線のサウンドスピーカ２のような、ユーザがサウンドを聞くための付属装置だけが１つ必要となる。この場合、リモートセンサ７、１００、１１０は、ユーザと対話するための付加的手段として機能する。
【００１９】
第２の好適な実施例が、第１の好適な実施例から異なる点は、処理ユニット１０、８０が、第２の実施例の機能を完全にするように動作することを、リモートセンサ７、１００、１１０に要求する点である。更に、処理ユニットは、携帯用プレーヤ１７のサウンドが、他のサウンドと共に動作することを可能にする。
【００２０】
第１の好適な実施例に関連して、処理ユニット２０の第１態様のブロック図を、図３に示す。この処理ユニットは、アナログとデジタルの電子回路を備えており、これらの電子回路は、インストールされてるソフトウェアと協働して、楽器（打楽器、キーボード、弦楽器、または吹奏楽器）のサウンドを生成可能にするシステムを構成する。さらに、この構成システムは、音楽を演奏し、音楽的効果を付加し、音楽演奏の演奏パラメータを変更し、サウンドを混合すると共に、ユーザの楽器及び／又は声による伴奏活動の能力を評価することを可能にするように、上記のすべての機能において直接的または間接的に動作する。
【００２１】
処理ユニット２０は、充電可能な「バッテリおよび充電管理回路」２１により給電され、また、電源回路２２は、安定化した電源電圧を、残りの回路に給電する分担を担う。
【００２２】
ジョグディスク１２７は、本装置の動作における種々の機能を備える。この回転ディスクは、従来のターンテーブルをまねるもので、このディスク自体は回転しないが、演奏する音楽に作用する音響効果として働くことができる。ジョグディスク１２７を時計回りに回転することで、機能またはコマンドは前進方向に実行され、一方、ジョグディスクを反時計回りに回転することで、機能またはコマンドは後退方向に実行される。また、ディスクの速度は、ユーザの手及び／又は指が回転する速度が反映される。加えて、ジョグディスク１２７は、手及び／又は指の接触／打撃に感応するので、例えば、歌の伴奏に使用することも可能である。
【００２３】
ジョグディスク表面１２７は、表面下に少なくとも１つの接触センサ２４を有し、このセンサは、接触頻度および接触強度に感応するので、ユーザの手及び／又は指による打撃／接触を検出する。接触センサ２４は、圧電トランスデューサ、電界効果、あるいは、圧力、力、振動、または加速度用センサで構成可能である。この接触センサの信号は、アナログ処理回路２３を介して整定され、アナログ／デジタルコンバータ２５によりデジタル値に変換される。得られたデジタル値は、デジタル信号プロセッサ（ＤＳＰ：Digital Signal Processor）３１に読み込まれる。
【００２４】
ＤＳＰ３１は、本装置に付随するデジタルサウンド、信号、および通信の全体的な処理を実行する。ＤＳＰ３１は、２つのタイプのメモリを使用する。１つは、ＲＡＭメモリ３２で、これは、データを一時的に保存し、もう１つは、フラッシュメモリ３３で、これは、ファームウェアと呼ばれるシステムのソフトウェア、合成されたデジタルサウンド、サンプルデータ、音響効果、および本ユニットの機能のために不可欠な他のデータを収容する。また、ＤＳＰ３１は、データストレージ用フラッシュメモリ３５に収容されるファイル及び／又はデータにアクセスすることができる。さらに、ＤＳＰは、音楽の演奏、楽器（打楽器、キーボード、弦楽器、または吹奏楽器）サウンドの生成、演奏パラメータの変更、サウンドの混合、音響効果（エコー、遅延、ピッチ、歪など）の付加、および音楽のサウンド及び／又はカラオケでの楽器サウンドの解釈し実行する役割を果たす。同時に、ＤＳＰは、他の属性ファイルの中から関連するファイルより、ユーザの能力評価を解釈し実行する機能も担う。
【００２５】
サウンドまたは歌が、符号化及び/又は圧縮化されたとき、ＤＳＰ３１は、処理時に理解できるデータを得るために、デコーダ３４を使用することができる。異なるオーディオチャネルからのアナログ信号またはデジタル信号は、ＤＳＰ３１の処理によってサウンドを取得することができる。そして、オーディオミキサ３６は、これらのチャネルからサウンドを受信することができ、単一となる取得サウンドを生成するために、これらのサウンドを混合することができる。
【００２６】
コンピュータインタフェース４２は、ファームウェアを更新し、保存するフラッシュメモリ３５のデータを追加または削除するために、コンピュータとの通信手段を提供する。また、メモリカード５へデータを追加または削除することは、メモリカードインタフェース４０を介して行われる。処理ユニット２０で得られたサウンドは、コンピュータ４に送信可能で、同様に、コンピュータ４で取得されたサウンドは、この処理ユニットに送信可能である。なお、このコンピュータインタフェースは、ＰＣで使用する有線または無線の通信システムの大部分の通信ポートと互換性を有する点を指摘することは重要であろう。
【００２７】
イヤフォン及び/又はマイクロフォンインタフェース４１は、得られたデジタルサウンドを適切なアナログサウンドに変換し、無線のイヤフォン/マイクロフォンのセット６を駆動する。同様な方法で、マイクロフォンのアナログ信号は、デジタル値に変換され、ＤＳＰ３１に送信される。この後、ＤＳＰが、必要な処理を実行する。
【００２８】
通信システム３９は、リモートセンサ（７，１００，１１０）と、コマンドを送信/受信するための通信を実現する機能を有する。この通信は、双方向（２方向）の構成が可能であり、無線周波、超音波、赤外光、または電気ワイヤ／ケーブルにより実現可能である。また、上記通信手段の複数の組み合わせでも実現可能である。
【００２９】
得られたサウンドは、「無線のサウンドスピーカ」２及び/又は「無線のイヤフォン及び/又は無線のマイクロフォン」３に送信可能であり、無線のマイクロフォンで収集されたサウンドは、処理ユニット２０に送信可能である。これらの目的を達成するために、無線信号用トランシーバ４３が使用される。このトランシーバは、アナログまたはデジタル化されたサウンドを、「無線のサウンドスピーカ」２および「無線のイヤフォン及び/又は無線のマイクロフォン」３を含む互換性の装置と、送信または受信する。加えて、無線信号用トランシーバ４３は、処理ユニット２０で得られたサウンドを、このサウンドを受信後に再生可能とするような、いずれかの装置に送信することができる。いずれかの装置とは、すなわち、アダプタ８と同様に、この受信サウンドを、アナログまたはデジタルのオーディオ信号の形で活用できる装置が該当する。ＤＳＰ３１との情報交換により制御されるトランシーバ４３は、デジタル化されたコマンドを送信/受信することができる。無線信号用トランシーバ４３は、単方向または双方向の形で通信することができ、この通信は、無線周波、超音波、赤外光、または電気ワイヤ／ケーブルにより実現可能であり、上記通信手段の複数の組み合わせでも実現可能である。
【００３０】
マイクロプロセッサ２９は、ディスプレイ２８、キーボード２７、およびジョグディスクのセンサ３０などのユーザインタフェース用装置を処理すると同時に、ＤＳＰ３１と協働して残りのシステムコンポーネントを制御する。ディスプレイ２８は、本装置の動作状態、メニュー、機能、チャート、および他の視覚情報をユーザに対して表示する。キーボード２７は、コマンド入力用として機能し、ユーザが押下したキー情報を収集する。マイクロプロセッサ２９は、特定のフラッシュメモリ３８を有し、このメモリは、本装置が実行可能な機能およびすべての動作を規定するファームウェアを収容する。ジョグディスクセンサ３０は、ディスクの速度および角度位置を検出する目的を有し、検出値のデジタル信号をマイクロプロセッサ２９に送信する。マイクロプロセッサは、個別のローカル処理を実行した後、検出情報をコマンドの形でＤＳＰ３１に送信する。
【００３１】
ジョグディスクの発光ダイオード（ＬＥＤ：Light Emitting Diode）３７は、ジョグディスク１２７の下部に、適切な形態で分散され、マイクロプロセッサ２９によって制御される。これらのＬＥＤの機能は、実行を要するアクションに関連して発光による指示をユーザに提供する。すなわち、接触すべきディスクスポットと同時に、個々の接触の瞬間および強度をユーザに対して通知する。
【００３２】
第１の好適な実施例に関連して、図４に、処理ユニット５０の第２の態様のブロック図を示す。この第２の態様は、ジョグディスク１２７の代わりに、接触感応表面すなわち接触感応のパッドが存在していることが第１の態様と異なる。従って、図６のブロック図は、ジョグディスクセンサ３０が除去されると共に、ＬＥＤは、パッド１６９に付随するパッド用ＬＥＤ６５が表記されることを除いて、図３と同一である。
【００３３】
図５は、本発明の目的である本装置の第２の好適な実施例における処理ユニット８０の第３の態様のブロック図を示す。この第３の態様は、ジョグディスク１２７または連結するパッド１６９が表示されていないことが、第１および第２の好適な実施例と異なる。何故なら、処理ユニットは、ジョグディスク１２７またはパッド１６９を有するリモートセンサ（７、１００、１１０）から、コマンドを受信するからである。このブロック図は、処理ユニット２０の第１の態様のブロック図と類似するが、しかし接触センサ２４、アナログ処理回路２３、アナログ/デジタル用コンバータ２５およびジョグディスクのＬＥＤ３７を含まない。加えて、処理ユニット８０は、他のサウンドと混合するために、オーディオ入力インタフェース９５により携帯プレーヤ１７からのサウンドを受信する。
【００３４】
オーディオ入力インタフェース９５は、音楽/携帯用サウンドプレーヤ１７から、アナログまたはデジタル化されたサウンドを受信することができる。さらに、上記インタフェースは、上記サウンドプレーヤ１７との間で、コマンドを受信/送信することができる。入力サウンドが、アナログ信号のとき、上記インタフェースは、アナログ信号をデジタル値に変換する手段を有する。ＤＳＰ３１は、制御処理を行いながら、オーディオ入力インタフェース９５から受信するデータを取り込む。
【００３５】
本発明装置の第２の好適な実施例によって実行される機能は、異なる方法で実行されるが、同一であることを指摘しておくことは重要である。第２の好適な実施例において、処理ユニット１０，８０は、本発明装置の第１の態様と同一機能を果たすために、リモートセンサ７、１００、１１０を必要とする。
【００３６】
本発明装置の第２の好適な実施例において、図６は、リモートセンサ１００の第１の態様のブロック図を示す。リモートセンサ１００は、処理ユニット１、１０，２０、５０、８０に処理コマンドを送信するように構成される。リモートセンサは、再充電可能な「バッテリおよび充電管理回路」１０５を有する。電源回路１０７は、センサ内の残りの回路に給電するために、安定化した電圧を供給する。
【００３７】
少なくとも１つの接触センサ１０１は、ジョグディスク１２７の表面下に置かれ、このセンサは、接触の頻度と強度に感応するので、ユーザの手及び／又は指による打撃／接触を検出する。接触センサ１０１は、圧電トランスデューサ、電界効果、または、圧力、力、振動、又は加速度用センサにより構成可能である。このセンサの信号は、アナログ処理回路１０９により整定され、マイクロプロセッサ１０３が取り込みできるように、Ａ／Ｄコンバータ１０８によりデジタル値のデータに変換される。ジョグディスクのセンサ１０２は、ディスクの速度および角度位置を知らせるために、マイクロプロセッサ１０３に信号を送信する。
【００３８】
また、マイクロプロセッサ１０３は、キーボード１０４からの入力信号を読み、さらに、得られた処理データを通信システム１０６に送信する。この通信システムは、処理ユニットの通信システム３９と互換性があり、かつ同一である。マイクロプロセッサ１０３は、通信システム１０６の手段よりコマンド信号を受信し、ジョグディスク１２７の表面下に置かれたジョグディスクのＬＥＤ９９を点灯させる。
【００３９】
本発明装置の第２の好適な実施例において、図７に、処理ユニット１１０の第２の態様のブロック図を示す。このセンサは、ジョグディスク１２７の代わりに、パッド１６９を有することを除いては、リモートセンサ１００の第１の態様と同一である。従って、第２の態様のブロック図は、ジョグディスクセンサ１０２を表記しないで、パッドに付随するＬＥＤ、すなわちパッドの表面下にあるパッドのＬＥＤ１１９を表記する。
【００４０】
多数の接触センサをジョグディスク１２７またはパッド１１９に分散させることで、種々の接触感応領域を提供し、各々に個別の機能を割り当ることが可能である。このセンサの多機能化により、例えば、ユーザは、種々のコマンドに基づき行動し、すなわち、楽器及び/又は種々の音符によるサウンドの生成、演奏パラメータの変更、または演奏中の音楽に同期させて、異なる音響効果を挿入もしくは非挿入にすることができる。
【００４１】
図８に、アダプタ２６０の第１の態様のブロック図を示す。このアダプタは、処理ユニット２０、５０、８０のすべての態様に使用される。アダプタは、処理ユニット２０、５０、８０が、オーディオおよびビデオ装置に、サウンドおよびデータを送信/受信することを可能にする。
【００４２】
アダプタ２６０に接続される外部電源は、電源回路２６３に電力を供給する。この電源回路は、安定化した電圧を他の回路に供給する。無線信号用トランシーバ２６１は、処理ユニット２０、５０、８０の無線信号用トランシーバ４３と同一か等価であり、通信のペアを構成する。このトランシーバは、マイクロプロセッサ２６５が読み込むデジタル化のデータを受信する。また、マイクロプロセッサは、トランシーバにデータを送信する。
【００４３】
任意の装置から、アナログのオーディオ信号をアダプタ２６０に送信することができ、送信された信号は処理され、オーディオ入力インタフェース２７３によりデジタル値に変換される。変換後、上記入力インタフェースは、変換値をマイクロプロセッサ２６５に送信する。
【００４４】
処理ユニット２０、５０、８０で得られたサウンドは、アダプタ２６０で受信され、マイクロプロセッサ２６５で復号化され、そして、「Ｄ／Ａコンバータおよびアクティブフィルタ」２６２によってアナログ信号に再構成される。このアナログ信号は、音量制御回路２６６を通過する。この音量制御回路は、信号の強度を調整するが、任意のオーディオ及び/又はビデオ用装置に入力できる標準のオーディオチャネル形式に利用できるように、マイクロプロセッサ２６５によって制御される。デジタル用オーディオインタフェース２６４は、デジタル化されたオーディオ信号の入力用または出力用のオプションであり、任意のオーディオ/ビデオ用装置と互換性がある。
【００４５】
図９は、処理ユニット２０、５０、８０のすべての態様で使用できるアダプタ２７２の第２のブロック図を示す。スピーカに直接パワーを出力するためのパワーアンプ２６７を含むことを除いては、このアダプタは、アダプタ２６０の第１の態様と同一である。
【００４６】
図１０に、処理ユニット２０、５０、８０のすべての態様に使用できる、アダプタ２７５の第３の態様のブロック図を示す。このアダプタは、ビデオ、アナログまたはデジタル信号の供給手段を含むアダプタ２６０の第１の態様の回路および機能を内蔵する。この結果、処理ユニット２０、５０、８０は、文字、ポイント、形状、画像、写真に関連するデータ及び/又はコマンドを、無線信号用トランシーバ２６１を用いてアダプタ２６０に向け送信する。上記のデータ及び/又はコマンドは、マイクロプロセッサ２６５により復号化および前処理され、マイクロプロセッサは、取得データをデジタル用ビデオプロセッサ２６８に送信する。このビデオプロセッサは、画像構成する機能を担い、デジタル用ビデオインタフェース２７０およびアナログ用ビデオインタフェース２６９に画像信号を送信する。各々のインタフェースは、個別にアナログまたはデジタルのビデオ信号を提供する。アダプタ２７５から送出されるときのこれらの信号は、ＴＶまたはプロジェクター用の画像として供給される現存のビデオ標準と互換性がある。
【００４７】
図１１は、処理ユニット２０の第１の態様の上部面１２０、正面１２４、右側面１３７、左側面１２３および下部面１３４を示す。上部面１２０には、本ユニットのオン／オフ用キー１２２およびイヤフォンとマイクロフォン用のコネクタ１２１とが存在する。左側面１２３には、生成サウンドの制御用の２つのキー１２６、１２５が存在し、一方、右側面１３７には、取得およびマスター信号の音量設定用キー１４２、１４４が存在する。下部面１３４は、バッテリ用充電器の装着コネクタ１３３、メモリカードの挿入口１３５、およびコンピュータ用コネクタ１３６が存在する。
【００４８】
主コマンドは、正面側１２４に存在する。グラフィックディスプレイは、ユーザが、メニューおよびサブメニュー、歌の名前、演奏リスト、音量設定、グラフィックイコライザ、バッテリ用メーター、通信モニタ、伴奏信号、および種々のアイコンを見ることを可能にし、同時にアプリケーションのインタフェース・グラフィックを表示する。
【００４９】
ジョグディスク１２７は、楽器（打楽器、キーボード、弦楽器、吹奏楽器）のサウンドおよび音響効果を生成し、歌またはサウンドの演奏パラメータの変更し、メニューのブラウジング（browsing）を支援することも可能で、同時に接触センサのアプリケーション制御も実行する。
【００５０】
基本的な音楽の制御機能は、以下のキーにある。「停止」１４９は、演奏を取り止める。「早送り／次の音楽」１３９は、演奏トラックを早急に進めるか、または次のトラックにジャンプする。「早急の巻戻し／前回の音楽」１３１は、演奏トラックを巻き戻すか、または前回のトラックを演奏する。「演奏／休止」１４８は、選択した音楽を演奏するか、または停止する。「ＲＥＣ」キー１５０は、楽器（打楽器、キーボード、弦楽器、又は吹奏楽器）、音響効果または取得サウンドを記録可能にする。この記録は、データまたはファイルの形で、フラッシュメモリストレージ３５またはメモリカード５に格納される。「メニュー」キー１４７から、システムのサブメニューのメニューをアクセスすることができ、一般にアプリケーションおよびファンクションキーを動作させることができる。
【００５１】
ＤＪとして活動するとき、ユーザは、種々の機能およびリソースを保有する。これらリソースの中の１つが、歌の演奏を開始するスポットをマーキングする役割を果たすキュー機能である。これを実行するために、「演奏／休止」１４８を押下することで歌を休止し、ジョグディスク１２７を回転させることによって正確なポイントを設定するか、またはパッド１６９を使って設定し、「キュー」キー１４１を押下する必要がある。ユーザが、記憶されたポイントに戻したいと考えるとき、ユーザは、「キュー」キー１４１を再度押下するだけでよい。別の類似の機能が「フライキュー」キー１４０によって付与される。このキーは、歌の演奏にポイントをマーキングするものであって、「キュー」１４１によってマーキングされたポイントから歌を再開させることを可能とする。「キュー１」１３２および「キュー２」１３８は、２つの特別なポイントをマークすることを可能にする。
【００５２】
本装置の別の重要な機能は、音楽の演奏速度（ピッチ機能）の設定である。ピッチは、「ピッチ」キー１４５を介して、ジョグディスク１２７またはパッド１６９によって設定される。歌のポイントは、歌を停止させることなく、希望するときに、「フライキュー」キー１４０を押下するだけで、マーキングが可能である。「スクラッチ」キー１２８は、ジョグディスク１２７またはパッド１６９により、音楽の停止および制御された演奏を模擬する。
【００５３】
処理ユニット２０は、打楽器、キーボード、弦楽器、または吹奏楽器のようなすべての楽器のサウンドを生成することが可能であり、この楽器は「楽器選択」キー１２９を介して選択される。一度、所定の楽器が選択されると、ユーザの手または指でジョグディスク１２７またはパッド１６９の表面を叩くだけで、選択された楽器のサウンドが生成される。ビートの強度は、楽器のサウンドの強度または楽譜に影響することになる。加えて、音響効果が生成可能であり、例えば、スクラッチング、エコー、周波数フィルタ、演奏遅延、停止、または段階的な演奏などが、演奏中の音楽における種々のタイプの変形として加えられる。音響効果のタイプの選択は、「効果選択」１３０を介して実行される。
【００５４】
「レベル」キー１４６を使用することにより、ユーザの能力評価の難易度レベルを、４つのレベルとして設定可能である。例えば、支援を必要とする初心者、容易、中程度、困難のように設定可能である。
【００５５】
第１の態様と同様に、第１の好適な実施例における処理ユニット５０の第２の態様を、図１２に示す。上部面１６０および下部面１７２は、第１の態様と全く同一である。
【００５６】
左側面１６４は、基本的な音楽の制御機能に対応する以下のキーを含む。「停止」１４９、「演奏／休止」１４８、「早送り／次の音楽」１３９、および「早急の巻戻し／前回の音楽」１３１、さらに、録音するための「ＲＥＣ」１５０が、含まれる。右側面１７７に、パラメータ選択用の４つのキーと設定用の２つのキーとが存在する。「ＤＪ効果選択」キー１７９は、主な音響効果（ピッチ、スクラッチ、キュー、フライキュー等）の１つを選択することを可能にする。「音量選択」キー１８２は、生成サウンドの音量とマスター音量との間で、音量交換を行う。楽器（打楽器、キーボード、弦楽器、または吹奏楽器）の種々のタイプは、「楽器選択」キー１２９により選択することができる。音響効果（ピッチ、スクラッチ、キュー、フライキュー等）は、「効果選択」キー１３０により選択することができる。矢印の形状のキー１８３、１７８は、選択したパラメータの設定に使用する。
【００５７】
「メニュー」キー１４７と「ブラウジング」キー１７０、１７６から、またはパッド自体１６９から、システムメニューのサブメニューにアクセスし、一般的なアプリケーションおよびファンクションのキーを起動させることが可能である。パッド１６９は、接触感応表面からなり、この表面は、楽器（打楽器、キーボード、弦楽器、または吹奏楽器）および音響効果の生成、演奏パラメータの変更、ならびにアプリケーション、機能およびメニューの制御用に機能する。
【００５８】
第２の構造モデルに関連して、処理ユニット８０の第３の態様の外部詳細を、図１３に示す。既に説明したキーおよび要素は、この態様において同一特徴を有するので、繰り返しはさける。正面１９５に、ブラウジングキー２１４、２１５、２１３、２１１のセットがあり、メニューのブラウジング操作を機能させ、かつ、このユニットのアプリケーションおよび機能との対話操作が促進するように、これらのキーは配置される。また、上部面１９０は、携帯用プレーヤ１７からのオーディオ入力用コネクタ２０４を有する。
【００５９】
第２の好適な実施例に関連して、図１４は、第１のリモートセンサの態様１００の正面２２０と上部面２２５とを表す。上部面２２５は、このセンサのための「オン/オフ」キー２２２、および「バッテリ充電用コネクタ」２２１を有する。正面２２０上に、ジョグディスク１２７および４つの緊急機能用キーが存在し、緊急機能用キーは、「フライキュー」１４０、「キュー」１４１、「ピッチ」１４５および「スクラッチ」１２８が該当する。これらのキーは、処理ユニット８０に付随して、既に説明した機能と同一の機能を実現する。
【００６０】
本装置の第２の構造モデルに関連して、第２のリモートセンサ１１０の態様の正面２２１および上部面２２８を、図１５に示す。上部面２２８は、第１の態様の上部面２２５と同一である。正面２２１は、接触センサの表面またはパッド１６９を有する。
【００６１】
いくつかのＬＥＤが、ジョグディスク１２７およびパッド１６９の表面下に配置される。表面で発光する領域またはポイントは、接触ポイントと発光強度とに対応し、また、発光強度は、制御可能で、印加された圧力すなわち力に相関する。また、これらＬＥＤの組合せは、矢印、円、正方形、および他の幾何学的形態の形状で、光による指示を提供し、機能、動作、コマンドを通知する形状およびシンボルに加えることで、本装置の使用について、ユーザを支援し改善させる。
【００６２】
ジョグディスク１２７およびパッド１６９の重要な特徴は、これらの表面が柔軟なゴムまたはクッション材料から構成され、光に対して半透明又は透明であり、この結果、ユーザは、表面の下部に配置されるＬＥＤ３７，６５，９９，１１９の光を適切に見ることができることである。例えば、次のアクションが「最大強度においてディスクを時計回りに回転させる」というタイプのものであるとき、矢印の形状に配列されたＬＥＤのグループは、その回転及び強度と関連した順番で点灯することで、印加する速度を通知する。従って、ユーザは、矢印の形状での速度とそこでの光の強度とを見ることにより、回転方向と回転させるべき速度を知ることができる。ジョグディスク１２７およびパッド１６９の表面を柔軟なものにする別の理由は、反復的な接触／衝撃に起因して、手及び／又は指が負傷することを防止することにある。
【００６３】
パッド１６９は、表面の領域またはポイントに付随するいくつかの接触センサと、同時に、機能、作用、コマンドについて通知すると共に本装置の使用を支援および改善するためにこの表面の下部に分散されるＬＥＤ６５、１１９と、を有する。このとき、ユーザは、ジョグディスク１２７の回転をまねるように、自身の手をパッド１６９上において、滑らせるかまたはドラッグする必要がある。このときの速度、移動方向、および強度が、適切に配置されたセンサによって検出され、ジョグディスク１２７と等価な回転方向および速度に変換される。
【００６４】
図１６は、処理ユニット２０の第１の態様の透視図を示す。ユニットは、調節可能な弾性のベルト２５０に、マジックテープ（登録商標）すなわち接着部分２５１、２５２、２５３，２５４により固定される。図１７に、処理ユニット５０の第２の態様を、同様な方法で示す。処理ユニット８０の第３の態様すなわち最後の態様を、図１７に表示する。
【００６５】
図１９は、リモートセンサ１００の第１の態様の透視図を示す。このリモートセンサは、調節可能な弾性のベルト２５０に、マジックテープ（登録商標）すなわち接着部分２５１、２５２、２５４，２５３により固定される。図２０に、リモートセンサ１１０の第２の態様を、同様な方法で示す。
【００６６】
調節可能な弾性のベルト２５０は、処理ユニット２０、５０、８０およびリモートセンサ１００、１１０のすべての態様に適合し、ユーザの身体に安全かつ適切にエルゴメトリックな配置を実現できるマジックテープ（登録商標）すなわち接着部分２５１、２５２、２５４，２５３を有する。
【００６７】
処理ユニット２０，５０，８０およびリモートセンサ１００、１１０のすべての態様を考えると、これらの要素は、ディスプレイ、キーボード、および接触表面（パッドまたはジョグディスク）を有するボックスまたはケースから構成される。このボックスは、印刷回路基板、電子コンポーネント、通信モジュール、再充電可能なバッテリ、接続用ワイヤ、機械的な支持部、および電子回路と機械構造とを構成するための他の要素を、内部に実装する。アダプタ２６０，２７２、２７５は、印刷回路基板、電子コンポーネント、コネクタ、ワイヤおよび機械的な固定支持具を、ボックスまたはケース内に収納する。
【００６８】
また、本発明の装置は、ゲーム、個人の予定表、カレンダ、演奏リスト用エディタ、サウンド設定、先進形態、ファイル用エディタ、住所録、アラームクロック、および時計などのアプリケーションを、ユーザに提供する。これらのアプリケーションは、好ましくは、処理ユニット１，１０、２０、５０，８０内に備える。
【００６９】
ユーザは、楽器及び／又はボーカルによる歌への演奏または歌に対する音響効果を適用するために、利用可能な制御部またはリモートセンサ１００、１１０を介して処理ユニット１，１０、２０、５０，８０と対話することになる。この結果、ユーザは、歌の終了時において自身の能力に対応するスコアを受け取る。楽器伴奏または音響効果を使用したとき、上記能力評価は、伴奏等の活動する間の同期性、接触強度、ジョグディスク１２７またはパッド１６９の動作、使用楽器、使用楽譜、および音響効果のタイプを考慮する。
【００７０】
ジョグディスク１２７またはパッド１６９および処理ユニット１、１０，２０，５０，８０に内蔵された機能を介して、ユーザは、ＤＪの役割を担うことができ、自身のＤＪ能力が評価できる。これらの機能に加えて、本装置は、マイクロフォンの使用により、ボーカル用カラオケとして使用でき、歌唱の際のユーザの声のリズム、同期性、音色、音質、および強度を評価することもできる。評価パラメータの参照基準は、歌を収納するファイルまたは特定のカラオケファイルの中に存在する。これらのパラメータは、ユーザの能力に関連してスコア/グレードを計算するのに使用され、ユーザの能力評価は、グラフィックディスプレイ２８，１４３の上に表示される。
【００７１】
難易度レベルは、ユーザの能力評価に所定の基準を確立させる機能を有する。この基準は、４つのレベルに分割され、支援を必要する初心者、容易、中程度、および困難というレベルである。この結果、評価パラメータには種々の重みが付与され、また規定するレベルにしたがって種々の基準が選択できるようになる。
【００７２】
処理ユニット１，１０、２０、５０，８０は、無線信号用トランシーバ４３を有しているので、取得サウンドは、車両のサウンドシステムに送信可能であり、また、屋内装置、携帯電話、ＴＶ、またはサウンドを受信し演奏できる装置にも、送信可能である。アダプタ８、２６０、２７２、２７５は、使用不可能な装置でのサウンドを提供し、かつ、処理ユニット１，１０、２０、５０，８０からのサウンドを直接受信するのに使用することができる。このアダプタは、自動車のサウンドシステムに設置することができ、オーディオ入力の１つに接続することで、車両のサウンドスピーカを介してサウンドを出力することができる。別のオプションは、アダプタ２７２の第２の態様を使用することで、例えば車両のサウンドスピーカを直接駆動する。アダプタ８、２６０の別のアプリケーションは、携帯電話との接続を含むことで、処理ユニット１，１０、２０、５０，８０のサウンドをこの装置で聞くことを可能にし、かつ、呼出またはデータ伝送で離れた他のユーザに同時送信することで、離れたユーザが上記サウンドに接触することを可能にする。同様な方法で、オーディオ入力にアダプタ８、２６０、２７２、２７５を接続した室内用音響装置は、処理ユニット１，１０、２０、５０，８０からのサウンドを受信し、受信サウンドを演奏することになる。また、アダプタ８、２６０、２７２、２７５が接続されたマイクロフォンまたは装置の信号は、処理ユニット１，１０、２０、５０，８０に送信することができる。
【００７３】
アダプタ８、２７５は、ＴＶまたはプロジェクターに画像を表示するために、ビデオ、デジタル信号またはアナログ信号を生成することができる。生成画像は、処理ユニット１，１０、２０、５０，８０のディスプレイ２８、１４３を延長したものに相当する。また、他のタイプの画像、例えば写真または図表のような画像も表示することができる。
【００７４】
処理ユニット１，１０、２０、５０，８０は、情報及び/又はファイルをフラッシュストレージメモリ３５またはメモリカード５内に保存するので、コンピュータ用のデータストレージユニットとして使用可能である。これらのメモリに保存されたデータは、コンピュータ４によって読出し可能である。
【図面の簡単な説明】
【００７５】
【図１】本発明に係る装置の第１の好適な実施例の機能ブロック図である。
【図２】本発明に係る装置の第２の好適な実施例の機能ブロック図である。
【図３】本発明に係る装置の第１の好適な実施例における処理ユニットの第１の態様のブロック図である。
【図４】本発明に係る装置の第１の好適な実施例における処理ユニットの第２の態様のブロック図である。
【図５】本発明に係る装置の第１の好適な実施例における処理ユニットの第３の態様のブロック図である。
【図６】本発明に係る装置の第２の好適な実施例におけるリモートセンサの第１の態様のブロック図である。
【図７】本発明に係る装置の第２の好適な実施例におけるリモートセンサの第２の態様のブロック図である。
【図８】本発明のアダプタの第１の態様と対象の機能ブロック図である。
【図９】本発明のアダプタの第２の態様と対象の機能ブロック図である。
【図１０】本発明のアダプタの第３の態様と対象の機能ブロック図である。
【図１１】本発明に係る装置の第１の好適な実施例における処理ユニットの第１の態様の正面、上部面、下部面、左側面、右側面の図である。
【図１２】本発明に係る装置の第１の好適な実施例における処理ユニットの第２の態様の正面、上部面、下部面、左側面、右側面の図である。
【図１３】本発明に係る装置の第１の好適な実施例における処理ユニットの第３の態様の正面、上部面、下部面、左側面、右側面の図である。
【図１４】本発明に係る装置の第２の好適な実施例における処理ユニットの第１の態様の正面、上部面、下部面、左側面、右側面の図である。
【図１５】本発明に係る装置の第２の好適な実施例における処理ユニットの第２の態様の正面、上部面、下部面、左側面、右側面の図である。
【図１６】本発明に係る装置の第１の好適な実施例における処理ユニットの第１の態様の透視図である。
【図１７】本発明に係る装置の第１の好適な実施例における処理ユニットの第２の態様の透視図である。
【図１８】本発明に係る装置の第２の好適な実施例における処理ユニットの第３の態様の透視図である。
【図１９】本発明に係る装置の第２の好適な実施例におけるリモートセンサの第１の態様の透視図である。
【図２０】本発明に係る装置の第２の好適な実施例におけるリモートセンサの第２の態様の透視図である。
【図１】
2008515009.tif 000003
【図２】
2008515009.tif 000004
【図３】
2008515009.tif 000005
【図４】
2008515009.tif 000006
【図５】
2008515009.tif 000007
【図６】
2008515009.tif 000008
【図７】
2008515009.tif 000009
【図８】
2008515009.tif 000010
【図９】
2008515009.tif 000011
【図１０】
2008515009.tif 000012
【図１１】
2008515009.tif 000013
【図１２】
2008515009.tif 000014
【図１３】
2008515009.tif 000015
【図１４】
2008515009.tif 000016
【図１５】
2008515009.tif 000017
【図１６】
2008515009.tif 000018
【図１７】
2008515009.tif 000019
【図１８】
2008515009.tif 000020
【図１９】
2008515009.tif 000021
【図２０】
2008515009.tif 000022
【国際調査報告】
2008515009.tif 000023
2008515009.tif 000024
2008515009.tif 000025